(57)【要約】【課題】小売店に於いて、来店した消費者の購入意思を商品購入へと誘導させる為の商品広告の掲示を支援するシステムを提供することを目的とする。【解決手段】情報端末装置より指定した配置図画像の所定の掲示場所に対して、所定の掲示期間毎に異なる広告画像を割り当てて、商品広告の素材利用申し込みに関する申込情報を入力してデータベースに登録する申込情報登録手段と、広告画像を割り当てた配置図画像を情報端末装置に表示する申込情報検索手段と、販売情報を情報管理装置に送信する販売情報送信手段と、店舗コンピュータより送信された販売情報を受信してデータベースに登録する販売情報受信手段と、販売情報を所定の情報毎に集計加工して情報端末装置に表示する販売情報検索手段とを備えることを特徴とする。【選択図】　　　　　図１
2004118579.tif 000002
【特許請求の範囲】
【請求項１】
小売店に於いて消費者が購入商品を選択する際に、その意思決定を誘導させる為の商品広告を掲示する支援システムであって、
前記小売店に属する情報入力と情報検索とを行う為の情報端末装置と、前記情報端末装置が通信ネットワークを介して接続される前記支援システムのシステム運営機関が備える情報管理装置とを少なくとも備え、
前記情報管理装置は、単一商品、又は相互に関連した複数商品から構成された前記商品広告の広告画像とその商品広告が属する商品分野とを含む広告情報と、前記小売店の店舗内に於ける前記商品分野毎の配置図画像を含む配置情報とを少なくとも登録したデータベースと、
前記情報端末装置より入力した検索条件に基づいて、前記データベースを検索して該当する前記配置情報と前記広告情報とをその情報端末装置に表示し、その中から指定した前記配置図画像の所定の掲示場所に対して、所定の掲示期間毎に異なる前記広告画像を割り当てて、前記商品広告の素材利用申し込みに関する申込情報をその情報端末装置より入力して前記データベースに登録する申込情報登録手段と、
前記情報端末装置より入力した検索条件に基づいて、前記データベースを検索して該当する前記申込情報より、前記広告画像を割り当てた前記配置図画像をその情報端末装置に表示する申込情報検索手段とを少なくとも備えることを特徴とする、商品広告掲示支援システム。
【請求項２】
前記情報管理装置は、前記情報端末装置より入力した検索条件に基づいて、前記データベースを検索して該当する前記申込情報より、前記広告画像を割り当てた前記配置図画像をその情報端末装置に表示し、その中から指定した前記広告画像について、仮に前記掲示場所に割り当てた仮割当と、実際に前記掲示場所に掲示する実割当とに少なくとも分類した進捗状況を含む進捗情報をその情報端末装置より入力して前記データベースに登録する進捗情報登録手段を更に備え、
前記申込情報検索手段は、前記進捗情報を更に表示することを特徴とする、請求項１に記載の商品広告掲示支援システム。
【請求項３】
前記情報管理装置は、前記小売店側が備える店舗コンピュータと通信ネットワークを介して更に接続され、
前記店舗コンピュータは、前記商品広告の商品販売実績に関する販売情報を少なくとも登録した店舗データベースと、
前記販売情報を前記情報管理装置に送信する販売情報送信手段とを少なくとも備え、
又、前記情報管理装置は、前記店舗コンピュータより送信された前記販売情報を受信して前記データベースに登録する販売情報受信手段と、
前記情報端末装置より入力した検索条件に基づいて、前記データベースを検索して該当する前記申込情報より、前記販売情報を所定の情報毎に集計加工してその情報端末装置に表示する販売情報検索手段とを更に備えることを特徴とする、請求項１、又は請求項２に記載の商品広告掲示支援システム。
【請求項４】
前記掲示場所は、前記小売店の店頭、及び店舗内に於いて、その柱面、床面、壁面、天井面、又、階段に於ける踏み面、蹴込み面の中で、何れか１つ以上の面、又はその周辺空間を含むことを特徴とする、請求項１乃至請求項３の何れか１項に記載の商品広告掲示支援システム。
【発明の詳細な説明】
【０００１】
【発明の属する技術分野】
本発明は、小売店に於いて消費者が購入商品を選択する際に、その意思決定を誘導させる為の商品広告を掲示する支援システムに関するものである。
【０００２】
【従来の技術】
小売店に於いては、消費者の来店を促す手段として、特売商品とその販売期間とを限定した特売広告を新聞の折り込みチラシ等の広告媒体によって、集客効果を狙った特売案内を行う手段は多くの小売店に於いて定着している。
【０００３】
しかしながら、小売店にとって販売実績を上げる為には、来店した消費者に特売商品に加えて他の推奨商品も購入して貰う必要があり、その為には、店舗内に於いて、消費者を商品購入へと誘導させる効果的な商品広告の手段が求められている。
【０００４】
又、店舗に於ける商品広告掲示システムの事例として、例えば、特開２０００−２７６０８７号に開示されている「広告表示構造及びそれに使用する広告シート」は、商品広告をその商品が陳列される陳列棚に対応した床面上に配置するものであり、商品分野毎に商品を陳列した商品棚等を含む店舗内に於ける配置図画像より、どの商品広告をどの掲示場所にどのような日程で掲示すれば効果的であるかを立案する為の広告掲示計画に関する手段は記載されていない。
【非特許文献１】
特開２０００−２７６０８７号公報（第１頁）
【０００５】
【発明が解決しようとする課題】
以上のような問題を解決するために本発明では、小売店に於いて、来店した消費者の購入意思を商品購入へと誘導させる為の商品広告の掲示を支援するシステムを提供することを目的とする。
【０００６】
【課題を解決するための手段】
上記目的を達成するため、請求項１に記載の発明は、小売店に於いて消費者が購入商品を選択する際に、その意思決定を誘導させる為の商品広告を掲示する支援システムであって、
前記小売店に属する情報入力と情報検索とを行う為の情報端末装置と、前記情報端末装置が通信ネットワークを介して接続される前記支援システムのシステム運営機関が備える情報管理装置とを少なくとも備え、
前記情報管理装置が、単一商品、又は相互に関連した複数商品から構成された前記商品広告の広告画像とその商品広告が属する商品分野とを含む広告情報と、前記小売店の店舗内に於ける前記商品分野毎の配置図画像を含む配置情報とを少なくとも登録したデータベースと、
前記情報端末装置より入力した検索条件に基づいて、前記データベースを検索して該当する前記配置情報と前記広告情報とをその情報端末装置に表示し、その中から指定した前記配置図画像の所定の掲示場所に対して、所定の掲示期間毎に異なる前記広告画像を割り当てて、前記商品広告の素材利用申し込みに関する申込情報をその情報端末装置より入力して前記データベースに登録する申込情報登録手段と、
前記情報端末装置より入力した検索条件に基づいて、前記データベースを検索して該当する前記申込情報より、前記広告画像を割り当てた前記配置図画像をその情報端末装置に表示する申込情報検索手段とを少なくとも備えることを特徴とする。
【０００７】
この請求項１に記載の発明により、小売店の販売促進担当者は、店舗の商品分野毎の配置図画像に適した、商品広告の掲示計画を立案することができ、又、その商品広告の素材利用申し込みを行うことができる。
【０００８】
請求項２に記載の発明は、前記情報管理装置が、前記情報端末装置より入力した検索条件に基づいて、前記データベースを検索して該当する前記申込情報より、前記広告画像を割り当てた前記配置図画像をその情報端末装置に表示し、その中から指定した前記広告画像について、仮に前記掲示場所に割り当てた仮割当と、実際に前記掲示場所に掲示する実割当とに少なくとも分類した進捗状況を含む進捗情報をその情報端末装置より入力して前記データベースに登録する進捗情報登録手段を更に備え、
前記申込情報検索手段が、前記進捗情報を更に表示することを特徴とする。
【０００９】
この請求項２に記載の発明により、小売店の販売促進担当者は、店舗の商品分野毎の配置図画像に基づいて、その商品広告の掲示計画の進捗状況を把握することができる。
【００１０】
請求項３に記載の発明は、前記情報管理装置が、前記小売店側が備える店舗コンピュータと通信ネットワークを介して更に接続され、
前記店舗コンピュータが、前記商品広告の商品販売実績に関する販売情報を少なくとも登録した店舗データベースと、
前記販売情報を前記情報管理装置に送信する販売情報送信手段とを少なくとも備え、
又、前記情報管理装置が、前記店舗コンピュータより送信された前記販売情報を受信して前記データベースに登録する販売情報受信手段と、
前記情報端末装置より入力した検索条件に基づいて、前記データベースを検索して該当する前記申込情報より、前記販売情報を所定の情報毎に集計加工してその情報端末装置に表示する販売情報検索手段とを更に備えることを特徴とする。
【００１１】
この請求項３に記載の発明により、小売店の販売促進担当者は、商品広告の掲示日程に於けるその販売実績の推移を把握することによって、商品広告による効果を分析することができる。
【００１２】
請求項４に記載の発明は、前記掲示場所が、前記小売店の店頭、及び店舗内に於いて、その柱面、床面、壁面、天井面、又、階段に於ける踏み面、蹴込み面の中で、何れか１つ以上の面、又はその周辺空間を含むことを特徴とする。
【００１３】
この請求項４に記載の発明により、小売店の販売促進担当者は、店舗に於けるあらゆるスペースを広告掲示スペースとして利用することができる。
【００１４】
【発明の実施の形態】
以下、本発明の一実施の形態を図に基づいて詳細に説明する。
図１は本発明の商品広告掲示支援システム１００のシステム構成を示す模式図である。
【００１５】
図１に示すように、商品広告掲示支援システム１００は、小売店側が備える店舗コンピュータ１０がインターネット１を介して接続されるこの支援システムのシステム運営機関が備える情報管理装置４０とから構成される。
【００１６】
店舗コンピュータ１０は、パソコン、携帯無線電話機、ファクシミリ等の情報端末装置１１と店舗データベース２０とから構成され、店舗データベース２０は、販売テーブル２１を備える。
【００１７】
販売テーブル２１は、商品広告の商品販売実績に関する販売情報を記録するものである。
販売情報には、小売店コードと商品分野と商品コードと販売年月日とからなる検索キー部と、データ部に属する商品名、メーカー名、規格・等級・寸法、入数、販売数量、販売単価、販売金額等の情報を格納する。
【００１８】
情報管理装置４０は、商品広告掲示支援業務を遂行する為に必要な情報を登録するデータベース５０と、情報端末装置１からの要求を受信して、データベース５０の検索結果を、インターネット１を介して送信するＷｅｂサーバー４１と、データベース５０を管理するデータベースサーバー４２と、商品広告掲示支援業務の業務処理を行うアプリケーションサーバー４３とから構成される。
【００１９】
データベース５０は、広告テーブル５１、配置テーブル５２、分野テーブル５３、計画テーブル５４を、販売テーブル５５備える。
【００２０】
広告テーブル５１は、商品を製造するメーカーが製作した商品広告に関する広告情報を記録するものである。
広告情報には、商品分野と商品コードとからなる検索キー部と、データ部に属するメーカー名、広告タイトル、広告内容、広告画像、標準素材サイズ、標準素材製作料金／枚、有効期間、登録年月日等の情報を格納する。
【００２１】
配置テーブル５２は、小売店の店舗に於ける商品分野毎の商品設置棚等のレイアウトを含む設置情報を記録するものである。
設置情報には、検索キー部である小売店コードと、ユーザーＩＤとパスワードとからなる検索キー部と、データ部に属する事業所名、代表者名、住所、電話番号、配置図画像、メールアドレス、登録年月日等の情報を格納する。
【００２２】
分野テーブル５３は、小売店の店舗に於ける配置図画像が構成するその商品分野の分野情報を記録するものである。
分野情報には、小売店コードと配置図画像に於ける座標位置範囲とからなる検索キー部と、データ部に属する掲示場所コード、商品分野、登録年月日等の情報を格納する。
【００２３】
計画テーブル５４は、小売店が申し込んだ商品広告の申込情報や広告割り当ての進捗情報を含む広告掲示に関する計画情報を記録するものである。
計画情報には、小売店コードと掲示場所コードと掲示期間とからなる検索キー部と、データ部に属する配置図画像上の座標位置、商品分野、商品コード、素材サイズ、進捗状況、登録年月日等の情報を格納する。
進捗状況には、広告画像について、仮に掲示場所に割り当てた「仮割当」、実際に掲示場所に掲示する「実割当」等が設定される。
【００２４】
販売テーブル５５は、商品広告の商品販売実績に関する販売情報を記録するものである。
販売情報には、小売店コードと商品分野と商品コードと販売年月日とからなる検索キー部と、データ部に属する商品名、メーカー名、規格・等級・寸法、入数、販売数量、販売単価、販売金額等の情報を格納する。
【００２５】
次に、情報管理装置４０の処理手段群６０が、情報端末装置１１の要求信号に応答して、データベース５０の検索更新を行う処理手順と、店舗コンピュータ１０と情報管理装置４０との間で情報の送受信を行う処理手順について詳細に説明する。図２は、本発明の情報管理装置４０の処理手段群６０と店舗コンピュータ１０の処理手段群３０に於ける処理の流れ図であり、これらの処理手段群は、以下の６手段から構成される。
【００２６】
これらは、申込情報登録手段６１、進捗情報登録手段６２、計画情報検索手段６３、販売情報送信手段３１、販売情報受信手段６４、販売情報検索手段６５である。
【００２７】
まず、情報端末装置１１からのユーザーＩＤとパスワードの入力を受け付けてユーザー認証を行い、使用権があればメニュー選択画面をその情報端末装置１１に送信する。
【００２８】
申込情報登録手段６１は、情報端末装置１１より入力した検索条件に基づいて、データベース５０を検索して該当する配置情報と広告情報とをその情報端末装置１１に表示し、その中から指定した配置図画像の所定の掲示場所に対して、所定の掲示期間毎に異なる広告画像を割り当てて、商品広告の素材利用申し込みに関する申込情報をその情報端末装置１１より入力してデータベース５０に登録する。
【００２９】
以下に、申込情報登録手段６１の処理手順を詳細に説明する。
（１）情報端末装置１１からの申込情報登録要求信号に応答して、ユーザー認証時に入力したユーザーＩＤとパスワードより、配置テーブル５２を検索して該当する配置情報を取得する。
（２）取得した配置情報が編集されている申込情報登録・検索条件指定画面を要求のあった情報端末装置１１に送信する。
（３）情報端末装置１１からの検索条件である配置図画像上の座標位置の指定を受け付けて、指定した配置図画像上の座標位置より分野テーブル５３を検索して該当する分野情報を取得する。
（４）取得した分野情報に設定されている商品分野より、広告テーブル５１を検索して該当する広告情報を取得する。
（５）取得した配置情報と広告情報一覧とが編集されている申込情報登録・広告選択画面を要求のあった情報端末装置１１に送信する。
（６）情報端末装置１１からの広告情報の選択を受け付けて、選択した広告情報が編集されている申込情報登録・申込入力画面を要求のあった情報端末装置１１に送信する。
（７）情報端末装置１１からの申込情報である素材サイズと掲示期間の入力を受け付けて、入力した申込情報が編集されている申込情報登録確認画面を要求のあった情報端末装置１１に送信する。
（８）情報端末装置１１からの確認ＯＫの選択を受け付けて、（３）の処理で取得した分野情報と（６）の処理で選択した広告情報と（７）の処理で入力した申込情報より、計画情報を作成して計画テーブル５４に登録する。
【００３０】
進捗情報登録手段６２は、情報端末装置１１より入力した検索条件に基づいて、データベース５０を検索して該当する申込情報より、広告画像を割り当てた配置図画像をその情報端末装置１１に表示し、その中から指定した広告画像について、進捗状況を含む進捗情報をその情報端末装置１１より入力してデータベース５０に登録する。
【００３１】
以下に、進捗情報登録手段６２の処理手順を詳細に説明する。
（１）情報端末装置１１からの進捗情報登録要求信号に応答して、ユーザー認証時に入力したユーザーＩＤとパスワードより、配置テーブル５２を検索して該当する配置情報を取得する。
（２）取得した配置情報に設定されている小売店コードより、計画テーブル５４を検索してシステム日付に属する掲示期間が設定されている計画情報を対象に取得する。
（３）取得した計画情報に設定されている商品分野と商品コードより、広告テーブル５１を検索して該当する広告情報を取得する。
（４）（２）の処理で取得した計画情報に基づいて、（１）の処理で取得した配置図情報に設定されている配置図画像に（３）の処理で取得した広告情報に設定されている広告画像を割り当てる。
（５）広告画像を割り当てた配置図画像が編集されている進捗情報登録・進捗入力画面を要求のあった情報端末装置１１に送信する。
（６）情報端末装置１１からの広告画像の選択（配置図画像上の座標位置の指定）と進捗状況の入力とを受け付けて、入力した進捗状況が編集されている進捗情報登録確認画面を要求のあった情報端末装置１１に送信する。
（７）情報端末装置１１からの確認ＯＫの選択を受け付けて、（１）の処理で取得した配置情報に設定されている小売店コードと指定した配置図画像上の座標位置より、分野テーブル５３を検索して該当する分野情報を取得する。
（８）取得した分野情報に設定されている小売店コードと掲示場所コードより、（２）の処理で取得した計画情報を特定して、（６）の処理で入力した進捗状況を特定した計画情報に設定して計画テーブル５４を更新する。
【００３２】
計画情報検索手段６３は、情報端末装置１１より入力した検索条件に基づいて、データベース５０を検索して該当する広告画像を割り当てた配置図画像と申込情報と進捗情報とをその情報端末装置１１に表示する。
【００３３】
以下に、計画情報検索手段６３の処理手順を詳細に説明する。
（１）情報端末装置１１からの計画情報検索要求信号に応答して、計画情報検索・掲示日入力画面を要求のあった情報端末装置１１に送信する。
（２）情報端末装置１１からの掲示日の入力を受け付けて、ユーザー認証時に入力したユーザーＩＤとパスワードより、配置テーブル５２を検索して該当する配置情報を取得する。
（３）取得した配置情報に設定されている小売店コードより、計画テーブル５４を検索して入力した掲示日に属する掲示期間が設定されている計画情報を対象に取得する。
（４）取得した計画情報に設定されている商品分野と商品コードより、広告テーブル５１を検索して該当する広告情報を取得する。
（５）（３）の処理で取得した計画情報に基づいて、（２）の処理で取得した配置図情報に設定されている配置図画像に（４）の処理で取得した広告情報に設定されている広告画像を割り当てる。
（６）広告画像を割り当てた配置図画像と（３）の処理で取得した計画情報とが編集されている計画情報検索画面を要求のあった情報端末装置１１に送信する。
【００３４】
販売情報送信手段３１は、販売情報を情報管理装置４０に送信する。
【００３５】
以下に、販売情報送信手段３１の処理手順を詳細に説明する。
（１）情報端末装置１１からの販売情報送信要求信号に応答して、販売情報送信・販売商品・販売期間入力画面を要求のあった情報端末装置１１に送信する。
（２）情報端末装置１１からの商品分類と商品コードと販売期間の入力を受け付けて、入力した商品分類と商品コードと販売期間より、販売テーブル２１を検索して該当する販売情報を取得する。
（３）取得した販売情報を情報管理装置４０に送信する。
【００３６】
販売情報受信手段６４は、店舗コンピュータ１０より送信された販売情報を受信してデータベース５０に登録する。
【００３７】
以下に、販売情報受信手段６４の処理手順を詳細に説明する。
（１）販売情報受信手段６４は、情報管理装置４０の電源投入時に自動起動され、店舗コンピュータ１０からの販売情報を受け付けるまでウエイトする。
（２）ウエイト解除後、受け付けた販売情報を販売テーブル５５に登録する。
【００３８】
販売情報検索手段６５は、情報端末装置１１より入力した検索条件に基づいて、データベース５０を検索して該当する申込情報より、販売情報を所定の情報毎に集計加工してその情報端末装置１１に表示する。
【００３９】
以下に、販売情報検索手段６５の処理手順を詳細に説明する。
（１）情報端末装置１１からの販売情報検索要求信号に応答して、ユーザー認証時に入力したユーザーＩＤとパスワードより、配置テーブル５２を検索して該当する配置情報を取得する。
（２）取得した配置情報に設定されている小売店コードより、計画テーブル５４を検索して該当する計画情報を取得し、取得した計画情報一覧が編集されている販売情報検索・販売商品入力画面を要求のあった情報端末装置１１に送信する。
（３）情報端末装置１１からの商品分類と商品コードの入力を受け付けて、入力した商品分類と商品コードより、販売テーブル５５を検索して該当する販売情報を取得する。
（４）取得した販売情報に設定されている小売店コードと商品分野と商品コードと販売年月日を集計キーとして、販売情報に設定されている販売数量を集計する。
（５）（３）の処理で入力した商品分類と商品コードと、集計した販売年月日毎の販売数量とが編集されている販売情報検索画面を要求のあった情報端末装置１１に送信する。
【００４０】
以上、本発明の一実施の形態を詳細に説明したが、本発明は、本実施の形態に限られるものではない。本発明の技術的範囲から逸脱しない範囲内で多様に変更実施することが可能である。
【００４１】
【発明の効果】
以上説明したように、本発明の商品広告掲示支援システムによれば、小売店の販売促進担当者は、店舗のあらゆるスペースを利用した商品広告の掲示計画を商品分野毎の配置図に基づいて立案すると共に、その商品広告を利用することができる。
又、その掲示日程に於ける販売実績の推移より、その商品広告による効果を分析することができる。
【図面の簡単な説明】
【図１】本発明の商品広告掲示支援システムのシステム構成を示す模式図である。
【図２】本発明の情報管理装置の処理手段群と店舗コンピュータの処理手段群に於ける処理の流れ図である。
【符号の説明】
１　インターネット
１０　店舗コンピュータ
１１　情報端末装置
２０　店舗データベース
２１　販売テーブル
３０　処理手段群
３１　販売情報送信手段
４０　情報管理装置
４１　Ｗｅｂサーバー
４２　データベースサーバー
４３　アプリケーションサーバー
５０　データベース
５１　広告テーブル
５２　配置テーブル
５３　分野テーブル
５４　計画テーブル
５５　販売テーブル
６０　処理手段群
６１　申込情報登録手段
６２　進捗情報登録手段
６３　計画情報検索手段
６４　販売情報受信手段
６５　販売情報検索手段
１００　商品広告掲示支援システム
【図１】
2004118579.tif 000003
【図２】
2004118579.tif 000004